(57)【特許請求の範囲】
【請求項１】
Ｎ（Ｎ≧２）ビット毎の記録単位に分割された記録すべき記録情報を、当該記録単位毎にＭ（Ｍ＞Ｎ）ビットのコードデータに変換して記録する情報記録装置であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録装置において、
複数の前記コードデータにより構成されるデータセクタにおける最後の前記コードデータを復調するための前記再生変換テーブルを指定する指定情報を生成する指定情報生成手段と、
前記生成された指定情報を、一の前記データセクタの直後に付加するように記録する指定情報記録手段と、
を備えたことを特徴とする情報記録装置。
【請求項２】
請求項１に記載の情報記録装置において、
前記記録単位のデータ長は８ビットであり、前記コードデータのデータ長は１６ビットであることを特徴とする情報記録装置。
【請求項３】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、
前記情報記録媒体から前記コードデータ及び前記指定情報を検出し、検出信号を出力する検出手段と、
前記出力された検出信号から前記指定情報を抽出する抽出手段と、
前記抽出された指定情報を用いて、前記データセクタにおける最後の前記コードデータを復調するための前記再生変換テーブルを指定して当該最後のコードデータを復調する復調手段と、
を備えたことを特徴とする情報再生装置。
【請求項４】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、
前記情報記録媒体から前記コードデータ及び前記指定情報を検出し、検出信号を出力する検出手段と、
前記出力された検出信号から前記指定情報を抽出する抽出手段と、
前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成手段と、
前記生成された接続コードデータを用いて、前記データセクタにおける最後の前記コードデータを復調するための前記再生変換テーブルを指定して当該最後のコードデータを復調する復調手段と、
を備えたことを特徴とする情報再生装置。
【請求項５】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生装置であって、
前記情報記録媒体から前記コードデータ及び前記指定情報を検出し、検出信号を出力する検出手段と、
前記出力された検出信号から前記指定情報を抽出する抽出手段と、
前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成手段と、
前記生成された接続コードデータを用いて、前記データセクタにおける最後の前記コードデータを復調するための前記再生変換テーブルを指定して当該最後のコードデータを復調する復調手段と、
を備えたことを特徴とする情報再生装置。
【請求項６】
請求項３から５のいずれか一項に記載の情報再生装置において、
前記記録単位のデータ長は８ビットであり、前記コードデータのデータ長は１６ビットであることを特徴とする情報再生装置。
【請求項７】
Ｎ（Ｎ≧２）ビット毎の記録単位に分割された記録すべき記録情報を、当該記録単位毎にＭ（Ｍ＞Ｎ）ビットのコードデータに変換して記録する情報記録方法であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録方法において、
複数の前記コードデータにより構成されるデータセクタにおける最後の前記コードデータを復調するための前記再生変換テーブルを指定する指定情報を生成する指定情報生成工程と、
前記生成された指定情報を、一の前記データセクタの直後に付加するように記録する指定情報記録工程と、
を備えたことを特徴とする情報記録方法。
【請求項８】
請求項７に記載の情報記録方法において、
前記記録単位のデータ長は８ビットであり、前記コードデータのデータ長は１６ビットであることを特徴とする情報記録方法。
【請求項９】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、
前記情報記録媒体から前記コードデータ及び前記指定情報を検出し、検出信号を出力する検出工程と、
前記出力された検出信号から前記指定情報を抽出する抽出工程と、
前記抽出された指定情報を用いて、前記データセクタにおける最後の前記コードデータを復調するための前記再生変換テーブルを指定して当該最後のコードデータを復調する復調工程と、
を備えたことを特徴とする情報再生方法。
【請求項１０】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、
前記情報記録媒体から前記コードデータ及び前記指定情報を検出し、検出信号を出力する検出工程と、
前記出力された検出信号から前記指定情報を抽出する抽出工程と、
前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成工程と、
前記生成された接続コードデータを用いて、前記データセクタにおける最後の前記コードデータを復調するための前記再生変換テーブルを指定して当該最後のコードデータを復調する復調工程と、
を備えたことを特徴とする情報再生方法。
【請求項１１】
Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生方法であって、
前記情報記録媒体から前記コードデータ及び前記指定情報を検出し、検出信号を出力する検出工程と、
前記出力された検出信号から前記指定情報を抽出する抽出工程と、
前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成工程と、
前記生成された接続コードデータを用いて、前記データセクタにおける最後の前記コードデータを復調するための前記再生変換テーブルを指定して当該最後のコードデータを復調する復調工程と、
を備えたことを特徴とする情報再生方法。
【請求項１２】
請求項９から１１のいずれか一項に記載の情報再生方法において、
前記記録単位のデータ長は８ビットであり、前記コードデータのデータ長は１６ビットであることを特徴とする情報再生方法。
【請求項１３】
情報記録媒体に情報を記録する情報記録装置において、前記装置は、Ｎビットの長さの記録データを入力するための入力装置と、
（ｎ＋１）（ｎは整数）番目の記録データを、ｎ番目のコードデーダを当該ｎ番目のコードデータに対応するｎ番目の記録データに復調する際に用いられる復調テーブルを選択するための復調情報を含む（ｎ＋１）番目のコードデータヘと変調する変調方式と、前記（ｎ＋１）番目のコードデータに含まれた前記復調情報に基づいて複数の復調テーブルの中から前記復調テーブルを選択し、当該選択復調テーブルに基づいて前記ｎ番目のコードデータを当該ｎ番目のコードデータに対応する前記ｎ番目の記録データに復調する復調方式からなる所定の変調復調方法を用いて、入力された前記記録データをＭ（Ｍ≧Ｎ）ビットの長さのコードデータに変調する変調手段と、
前記変調された複数のコードデータを含むデータセクタを前記情報記録媒体に記録する第１の記録手段と、
前記変調された入力記録データに基づき、前記所定の変調復調方法を用いて、前記データセクタの最後部に置かれた最後のコードデータを当該最後のコードデータに対応した前記記録データに復調するときに用いられる前記復調テーブルを選択するための前記復調情報を含む指定情報を生成する生成手段と、
前記生成された指定情報を前記情報記録媒体の前記最後のコードデータの後に記録する第２の記録手段と、
を備えたことを特徴とする情報記録装置。
【請求項１４】
前記入力装置はデータ長が８ビットである記録データを入力し、前記変調手段は８／１６変調・復調方式を使用することにより、入力された記録データをデータ長が１６ビットのコードデータに変調することを特徴とする請求項１５に記載の情報記録装置。
【請求項１５】
前記生成手段は、コードデータと同じデータ長の指定情報を生成することを特徴とする請求項１３に記載の情報記録装置。
【請求項１６】
情報記録媒体に記録されたデータセクタに含まれた情報を再生する情報再生装置において、前記デタセクタは複数のコードデータおよび指定情報を含み、該コードデータは各々Ｍビットの長さであって、
（ｎ＋１）（ｎは整数）番目の記録データを、ｎ番目のコードデーダを当該ｎ番目のコードデータに対応するｎ番目の記録データに復調する際に用いられる復調テーブルを選択するための復調情報を含む（ｎ＋１）番目のコードデータヘと変調する変調方式と、前記（ｎ＋１）番目のコードデータに含まれた前記復調情報に基づいて複数の復調テーブルの中から前記復調テーブルを選択し、当該選択復調テーブルに基づいて前記ｎ番目のコードデータを当該ｎ番目のコードデータに対応する前記ｎ番目の記録データに復調する復調方式からなる所定の変調復調方法を用いて、Ｎ（Ｎ≦Ｍ）ビットの長さの各記録データを変調して得られ、前記指定情報は前記情報記録媒体に記録されたデータセクタの最後部に置かれた最後のコードデータの後に付加されるとともに、前記所定の変調復調方法を用いて前記最後のコードデータを当該最後のコードデータに対応した記録データに復調するときに用いられる前記復調テーブルを選択するための復調情報を含み、前記装置は、
前記情報記録媒体に記録された前記データセクタを検出する検出装置と、
検出されたデータセクタから前記各コードデータおよび前記指定情報を抽出する抽出手段と、
抽出されたコードデータが最後のコードデータでないときには前記所定の変調復調方法を用いて、抽出された各コードデータを当該各抽出コードデータに対応した記録データに復調する第１の復調手段と、
抽出されたコードデータが最後のコードデータのときは前記抽出された指定情報に含まれた前記復調情報に基づいて前記復調テーブルの中の一の復調テーブルを選択し、当該選択復調テーブルに基づいて前記最後のコードデータを当該最後のコードデータに対応した記録データに復調する方法によって、前記最後のコードデータを当該最後のコードデータに対応した記録データに復調する第２の復調手段と、
を備えたことを特徴とする情報再生装置。
【請求項１７】
記録データのデータ長は８ビットであり、コードデータのデータ長は１６ビットであり、第１復調手段は８／１６変調・復調方式を使用することにより、抽出されたコードデータを復調することを特徴とする請求項１６に記載の情報再生装置。
【請求項１８】
情報記録媒体に記録された第１のデータセクタおよび第２のデータセクタのそれぞれに含まれた情報を再生する情報再生装置において、前記第１のデータセクタおよび第２のデータセクタはそれぞれ同期データと、複数のコードデータと、指定情報と、を含み、前記同期データは前記第１のデータセクタおよび前記第２のデータセクタのそれぞれ頭部に付加されており、前記各コードデータの長さはＭビットであり、前記同期データの長さはＬ（Ｌ＞Ｍ）ビットであり、前記各コードデータは前記第１のデータセクタおよび前記第２のデータセクタのそれぞれにおいて前記同期データの直後に配置され、前記各コードデータは（ｎ＋１）（ｎは整数）番目の記録データを、ｎ番目のコードデーダを当該ｎ番目のコードデータに対応するｎ番目の記録データに復調する際に用いられる復調テーブルを選択するための復調情報を含む（ｎ＋１）番目のコードデータヘと変調する変調方式と、前記（ｎ＋１）番目のコードデータに含まれた前記復調情報に基づいて複数の復調テーブルの中から前記復調テーブルを選択し、当該選択復調テーブルに基づいて前記ｎ番目のコードデータを当該ｎ番目のコードデータに対応する前記ｎ番目の記録データに復調する復調方式からなる所定の変調復調方法を用いて、長さＮ（Ｎ≦Ｍ）の各記録データを変調して得られ、また前記指定情報は前記情報記録媒体に記録された前記第１のデータセクタおよび前記第２のデータセクタのそれぞれの最後部に置かれた最後のコードデータである最後のコードデータの後に付加されるとともに、前記指定情報は所定の変調復調方法を用いて前記最後のコードデータを当該最後のコードデータに対応する記録データに復調する際に用いられる復調テーブルを選択するための前記復調情報を含み、前記指定情報の長さは前記コードデータの長さと等しいことを特徴とし、前記装置は、
前記情報記録媒体に記録された前記第１のデータセクタおよび前記第２のデータセクタをそれぞれ検出する検出手段と、
検出された第１のデータセクタおよび第２のデータセクタのそれぞれから、前記同期データ、前記各コードデータおよび前記指定情報を抽出する抽出手段と、
前記第１のデータセクタに含まれた前記指定情報のＭＳＢ側最初の部分でのＫ（１≦Ｋ≦Ｍ）ビットと、前記第２のデータセクタに含まれた前記ＭＳＢ側最初の部分での（Ｌ−Ｋ）番目のビットおよび前記同期データの次のビットとを接続することにより接続データを生成する生成手段と、
抽出されたコードデータが最後のコードデータではないときには前記所定の変調復調方法を用いて、各抽出コードデータを当該各抽出コードデータに対応する記録データに復調する第１の復調手段と、
抽出されたコードデータが最後のコードデータのときは前記生成された接続データに基づいて複数の復調テーブルの中から当該復調テーブルを選択し、当該選択復調テーブルに基づいて前記最後のコードデータを当該最後のコードデータに対応する記録データに復調する方法によって、前記最後のコードデータをその対応する記録データに復調する第２の復調手段と、
を備えたことを特徴とする情報再生装置。
【請求項１９】
記録データのデータ長は８ビットであり、コードデータのデータ長は１６ビットであり、第１復調手段は８／１６変調・復調方式を使用することにより、抽出されたコードデータを復調することを特徴とする請求項１８に記載の情報再生装置。
【請求項２０】
前記生成手段は、第１のデータセクタを含む指定情報の開始部分のＭＳＢ側の１ビットと、第２のデータセクタに含まれる同期データの後続ビットとを接続することにより接続データを生成することを特徴とする請求項１９に記載の情報再生装置。
【請求項２１】
情報記録媒体に情報を記録する情報記録装置において、
Ｎビットの長さの記録データが入力される入力端子と、
先行するコードデータに基づき複数の変調テーブルの中の一を用いて入力記録データをＮより大きい数であるＭビットの長さのコードデータに変調する変調手段と、
複数の前記コードデータを含む所定のデータユニット内の最後のコードデータを復調する際に用いられる復調テーブルを指定する指定情報を生成する生成手段と、
前記情報記録媒体に前記データユニット及び前記指定情報を、該指定情報を前記最後のコードデータの後に配置して記録する記録手段と、
を備えたことを特徴とする情報記録装置。
【請求項２２】
前記入力端子はデータ長が８ビットの記録データを入力し、
前記変調手段は、８／１６変調・復調方式を使用することにより、記録データを、データ長が１６ビットであるコードデータに変調することを特徴とする請求項２１に記載の情報記録装置。
【請求項２３】
前記生成手段は、コードデータと同じデータ長の指定情報を生成することを特徴とする請求項２１に記載の情報記録装置。
【請求項２４】
複数のデータユニットで構成されたデータ構造を有し、各データユニットには先行のコードデータに基づいて選択された複数の変調テーブルの中の一を用いて、
Ｎビットの長さの記録データを変調することにより得られ、それぞれの長さがＮより大きい数のＭビットである複数のコードデータと、
データユニット内の最後のコードデータの後に付加され当該最後のコードデータを復調する際に用いられる復調テーブルを指定する指定情報と、が含まれている情報記録媒体に記録された情報を再生する情報再生装置であって、
前記情報記録媒体に記録された前記データユニットを検出する検出手段と、
検出されたチータユニットの中から前記コードデータ及び前記指定情報を抽出する抽出手段と、
後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、
を備えたことを特徴とする情報再生装置。
【請求項２５】
前記情報記録媒体の各データユニットは、データ長が１６ビットである複数のコードデータを含み、前記複数のコードデータの各々は、８／１６変調・復調方式を使用することにより、データ長が８ビットの記録データを変調することにより得られ、前記復調手段は、８／１６変調・復調方式を使用することにより、抽出されたコードデータ及び最後のコードデータを復調することを特徴とする請求項２４に記載の情報再生装置。
【請求項２６】
前記指定情報のデータ長はコードデータのデータ長と同一であることを特徴とする請求項２４に記載の情報再生装置。
【請求項２７】
複数のデータユニットで構成されたデータ構造を有し、各データユニットには先行するＭビットのコードデータに基づいて選択された複数の変調テーブルの中の一を用いて、
Ｎビットの長さの記録データを変調することにより得られ、それぞれの長さがＮより大きい数のＭビットである複数のコードデータと、
データユニット内の最後のコードデータの後に付加され当該最後のコードデータを復調する際に用いられる復調テーブルを指定する指定情報と、
前記複数のコードデータの前に置かれ、Ｍより大きい数のＬビットの長さを有する同期データと、が含まれている情報記録媒体に記録された情報を再生する情報再生装置であって、
前記情報記録媒体に記録された前記データユニットを検出する検出手段と、
検出されたデータユニットから前記同期データ、前記コードデータ及び前記指定情報を抽出する抽出手段と、
後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、
前記同期データを第１の部分と第２の部分に分離する分離手段と、
前記指定情報と後続のデータユニットに含まれている前記同期データの第２の部分とを接続して新たな同期データを生成する接続手段と、
を備えたことを特徴とする情報再生装置。
【請求項２８】
前記情報記録媒体の各データユニットは、データ長が１６ビットである複数のコードデータを含み、前記複数のコードデータの各々は、８／１６変調・復調方式を使用することにより、データ長が８ビットの記録データを変調することにより得られ、
前記復調手段は、８／１６変調・復調方式を使用することにより、抽出されたコードデータ及び最後のコードデータを復調することを特徴とする請求項２７に記載の情報再生装置。
【請求項２９】
前記指定情報のデータ長はコードデータのデータ長と同一であることを特徴とする請求項２７に記載の情報再生装置。
【請求項３０】
前記同期データのデータ長は前記コードデータのデータ長の２倍であることを特徴とする請求項２７に記載の情報再生装置。
【請求項３１】
Ｎビットの長さのＮビットデータをＮより大きい数のＭビットの長さのＭビットコードデータに変調するデータ変調方法において、
Ｎビットデータを供給する工程と、
先行するＭビットコードデータに基づき複数の変調テーブルの中の一を用いて、供給されたＮビットデータをＭビットコードデータに変調する工程と、
複数の前記Ｍビットコードデータを含む所定のデータユニットを形成する工程と、
前記データユニットの最後部に置かれた最後のＭビットコードデータを復調する際に用いられる復調テーブルを指定する指定情報を生成する工程と、
前記指定情報を前記最後のＭビットコードデータの後に付加する工程と、
を備えたことを特徴とするデータ変調方法。
【請求項３２】
前記Ｎビットデータのデータ長は８ビットであり、前記Ｍビットデータのデータ長は１６ビットであることを特徴とする請求項３１に記載のデータ変調方法。
【請求項３３】
前記指定情報のデータ長はコードデータのデータ長と同一であることを特徴とする請求項３１に記載のデータ変調方法。
【請求項３４】
Ｎより大きい数のＭビットの長さのＭビットコードデータをＮビットの長さのＮビットデータに復調するデータ復調方法において、
複数のＭビットコードデータおよび指定情報を含むデータユニットを得る工程と、
前記デ一タユニットから前記Ｍビットコードデータ及び前記指定情報を抽出する工程と、
後続のＭビットコードデータに基づき複数の復調テーブルの中の一を用いて前記抽出されたＭビットコードデータのそれぞれを復調するとともに、前記指定情報に基づき前記複数の復調テーブルの中の一を用いて前記データユニット内の最後のＭビットコードデータを復調する工程と、
を備えたことを特徴とするデータ復調方法。
【請求項３５】
前記Ｎビットデータのデータ長は８ビットであり、前記Ｍビットデータのデータ長は１６ビットであることを特徴とする請求項３４に記載のデータ復調方法。
【請求項３６】
前記指定情報のデータ長はコードデータのデータ長と同一であることを特徴とする請求項３４に記載のデータ復調方法。
【発明の詳細な説明】
【０００１】
【発明の属する技術分野】
本発明は、従来のＣＤ（Compact Disk）等に比して、同じ大きさで飛躍的に記録容量を向上させた情報記録媒体としての、いわゆるＤＶＤのうち、情報の読み出し及び書込みの双方が可能なＤＶＤ−ＲＡＭ（DVD-Random Access Mwmory）に対して情報を記録するための情報記録装置及び当該情報記録装置により情報が記録された情報記録媒体並びに当該情報記録媒体から情報を読み出すための情報再生装置の技術分野に属する。
【０００２】
【従来の技術】
現在、従来から一般的なＣＤ又はＬＤ（LASER Disk）等に対して約７倍に記録容量を向上させた情報記録媒体としてのＤＶＤの研究・開発が盛んに行われているが、当該ＤＶＤのうち、読み出し専用のＤＶＤ−ＲＯＭ（DVD-Read Only Memory）について、その規格の開発等が活発に行われている。
【０００３】
ここで、このＤＶＤ−ＲＯＭに対して情報を記録再生する際の変調・復調方式の一つとして、いわゆる８／１６変調及び８／１６復調と呼ばれる変調・復調方式が提案されている。この８／１６変調及び８／１６復調について夫々の概要を説明すると、８／１６変調については、８ビット毎の記録単位に分割された記録すべきディジタルデータを、当該記録単位毎に１６ビットのコードデータに変調し、当該１６ビットのコードデータをＤＶＤ−ＲＯＭとして記録する。このとき、８／１６変調の際には、一の記録情報に対して予め設定されている四つの記録変換テーブルのうちの一つを指定して当該記録情報をコードデータに変換するのであるが、この記録変換テーブルの指定においては、ｎ番目の記録情報を８／１６変調した後のコードデータの最後尾における「０」が連続する個数（いわゆる０ラン長）に基づいて、（ｎ＋１）番目の記録情報をコードデータに変換する際の上記記録変換テーブルを指定するステート情報と呼ばれる識別情報を求め、このステート情報により識別された記録変換テーブルに基づいて当該（ｎ＋１）番目の記録情報をコードデータを生成する。
【０００４】
また、これに伴い、８／１６復調の際には、（ｍ＋１）番目にＤＶＤーＲＯＭから検出された１６ビットのコードデータに基づいて、ｍ番目に検出されたコードデータを元の記録情報に変換する再生変換テーブル（上記記録変換テーブルと同様に、一のコードデータに対して四つの再生変換テーブルが予め設定されている。）が指定されることにより当該ｍ番目に検出されたコードデータが再生される。
【０００５】
【発明が解決しようとする課題】
しかしながら、上記ＤＶＤーＲＯＭにおける８／１６変調・復調方式を、情報の読み出し及び書込みの双方が可能なＤＶＤ−ＲＡＭについて適用してみると、ＤＶＤ−ＲＡＭの場合には、一のＤＶＤ−ＲＡＭに記録される情報が、全て時間的に連続して記録されるとは限らない。すなわち、ＤＶＤ−ＲＡＭに情報を記録する際には、再生時のエラー訂正の便宜を考慮して所定のデータ量毎にデータセクタを形成して記録されるが、あるデータ量の記録情報を記録後に、当該記録情報とは別個に他の記録情報を記録する場合、隣接するデータセクタ相互で記録情報の連続性が失われて記録情報が記録される場合がある。
【０００６】
この場合に、先に記録された記録情報の最後のデータセクタにおける最後のコードデータについて考えてみると、当該最後のコードデータについては、そこで記録が一旦終了するので、後続するコードデータが存在しないこととなる。従って、当該最後のコードデータを上記８／１６復調方式により復調しようとしても後続するコードデータが存在しないので復調のための再生変換テーブルが指定できず復調できないという問題点がある。
【０００７】
そこで、本発明は上記の問題点に鑑みてなされたもので、その課題は、８／１６変調方式で記録された記録情報を８／１６復調方式で復調するＤＶＤ−ＲＡＭにおいて、データセクタ相互間で無関係に記録情報が記録されている場合でも、正確にデータセクタの最後のコードデータを再生することができ、全てのコードデータを正確に再生して元の記録情報を得ることが可能な情報記録装置及び当該情報記録装置により記録情報が記録された情報記録媒体並びに当該情報記録媒体から記録情報を再生可能な情報再生装置を提供することにある。
【０００８】
【課題を解決するための手段】
上記の課題を解決するために、請求項１に記載の発明は、Ｎ（Ｎ≧２）ビット毎の記録単位に分割された記録すべき記録情報を、当該記録単位毎にＭ（Ｍ＞Ｎ）ビットのコードデータに変換して記録する情報記録装置であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録装置において、複数の前記コードデータにより構成されるデータセクタにおける最後の前記コードデータを復調するための前記再生変換テーブルを指定する指定情報を生成する指定情報生成手段と、前記生成された指定情報を、一の前記データセクタの直後に付加するように記録する指定情報記録手段と、を備える。
【００１０】
上記の課題を解決するために、請求項３に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、前記情報記録媒体から前記コードデータ及び前記指定情報を検出し、検出信号を出力する検出手段と、前記出力された検出信号から前記指定情報を抽出する抽出手段と、前記抽出された指定情報を用いて、前記データセクタにおける最後の前記コードデータを復調するための前記再生変換テーブルを指定して当該最後のコードデータを復調する復調手段と、を備える。
【００１１】
上記の課題を解決するために、請求項４に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生装置であって、前記情報記録媒体から前記コードデータ及び前記指定情報を検出し、検出信号を出力する検出手段と、前記出力された検出信号から前記指定情報を抽出する抽出手段と、前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成手段と、前記生成された接続コードデータを用いて、前記データセクタにおける最後の前記コードデータを復調するための前記再生変換テーブルを指定して当該最後のコードデータを復調する復調手段と、を備える。
【００１２】
上記の課題を解決するために、請求項５に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生装置であって、前記情報記録媒体から前記コードデータ及び前記指定情報を検出し、検出信号を出力する検出手段と、前記出力された検出信号から前記指定情報を抽出する抽出手段と、前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成手段と、前記生成された接続コードデータを用いて、前記データセクタにおける最後の前記コードデータを復調するための前記再生変換テーブルを指定して当該最後のコードデータを復調する復調手段と、を備える。
【００１３】
上記の課題を解決するために、請求項７に記載の発明は、Ｎ（Ｎ≧２）ビット毎の記録単位に分割された記録すべき記録情報を、当該記録単位毎にＭ（Ｍ＞Ｎ）ビットのコードデータに変換して記録する情報記録方法であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータを生成して記録する情報記録方法において、複数の前記コードデータにより構成されるデータセクタにおける最後の前記コードデータを復調するための前記再生変換テーブルを指定する指定情報を生成する指定情報生成工程と、前記生成された指定情報を、一の前記データセクタの直後に付加するように記録する指定情報記録工程と、を備える。
【００１４】
上記の課題を解決するために、請求項９に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、前記情報記録媒体から前記コードデータ及び前記指定情報を検出し、検出信号を出力する検出工程と、前記出力された検出信号から前記指定情報を抽出する抽出工程と、前記抽出された指定情報を用いて、前記データセクタにおける最後の前記コードデータを復調するための前記再生変換テーブルを指定して当該最後のコードデータを復調する復調工程と、を備える。
【００１５】
上記の課題を解決するために、請求項１０に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定する指定情報が、一の前記データセクタの直後に付加されて記録されている前記情報記録媒体から前記コードデータを検出して元の前記記録情報を再生する情報再生方法であって、前記情報記録媒体から前記コードデータ及び前記指定情報を検出し、検出信号を出力する検出工程と、前記出力された検出信号から前記指定情報を抽出する抽出工程と、前記抽出された指定情報のうちの最初の１ビットと、当該指定情報が付加された前記データセクタの次に検出される前記データセクタにおいて最初に検出される前記コードデータにおける最初の１ビットを除く部分コードデータとを接続して、Ｍビットの接続コードデータを生成する生成工程と、前記生成された接続コードデータを用いて、前記データセクタにおける最後の前記コードデータを復調するための前記再生変換テーブルを指定して当該最後のコードデータを復調する復調工程と、を備える。
【００１６】
上記の課題を解決するために、請求項１１に記載の発明は、Ｎ（Ｎ≧２）ビット毎の記録単位に分割された記録すべき記録情報が、当該記録単位毎にＭ（Ｍ＞Ｎ）ビットのコードデータに変換されて記録されている情報記録媒体であって、当該コードデータが再生される際には、（ｎ＋１）番目に検出された前記コードデータに基づいて、ｎ番目に検出された前記コードデータを元の前記記録情報に変換する再生変換テーブルが指定されることにより当該ｎ番目に検出されたコードデータが再生されるように夫々の前記コードデータが記録され、更に複数の前記コードデータにより構成されたデータセクタにおける最後の前記コードデータを復調するための前記再生変換テーブルを指定するＭビットの指定情報が、一の前記データセクタの直後に付加されて記録されている前記情報記録媒体から前記コードデータを検出して元の前記記録情報を再生する情報再生方法であって、前記情報記録媒体から前記コードデータ及び前記指定情報を検出し、検出信号を出力する検出工程と、前記出力された検出信号から前記指定情報を抽出する抽出工程と、前記抽出された指定情報におけるＫ（Ｋ≦Ｍ）ビット目までの部分指定情報と、当該指定情報が付加された前記データセクタの次に検出される前記データセクタにおいて最初に検出される前記コードデータにおける（Ｋ＋１）ビット目以降の部分コードデータとを接続して、Ｍビットの接続コードデータを生成する生成工程と、前記生成された接続コードデータを用いて、前記データセクタにおける最後の前記コードデータを復調するための前記再生変換テーブルを指定して当該最後のコードデータを復調する復調工程と、を備える。
【００１７】
上記の課題を解決するために、請求項１３に記載の発明は、情報記録媒体に情報を記録する情報記録装置において、前記装置は、Ｎビットの長さの記録データを入力するための入力装置と、（ｎ＋１）（ｎは整数）番目の記録データを、ｎ番目のコードデーダを当該ｎ番目のコードデータに対応するｎ番目の記録データに復調する際に用いられる復調テーブルを選択するための復調情報を含む（ｎ＋１）番目のコードデータヘと変調する変調方式と、前記（ｎ＋１）番目のコードデータに含まれた前記復調情報に基づいて複数の復調テーブルの中から前記復調テーブルを選択し、当該選択復調テーブルに基づいて前記ｎ番目のコードデータを当該ｎ番目のコードデータに対応する前記ｎ番目の記録データに復調する復調方式からなる所定の変調復調方法を用いて、入力された前記記録データをＭ（Ｍ≧Ｎ）ビットの長さのコードデータに変調する変調手段と、前記変調された複数のコードデータを含むデータセクタを前記情報記録媒体に記録する第１の記録手段と、前記変調された入力記録データに基づき、前記所定の変調復調方法を用いて、前記データセクタの最後部に置かれた最後のコードデータを当該最後のコードデータに対応した前記記録データに復調するときに用いられる前記復調テーブルを選択するための前記復調情報を含む指定情報を生成する生成手段と、前記生成された指定情報を前記情報記録媒体の前記最後のコードデータの後に記録する第２の記録手段と、を備える。
【００１９】
上記の課題を解決するために、請求項１６に記載の発明は、情報記録媒体に記録されたデータセクタに含まれた情報を再生する情報再生装置において、前記デタセクタは複数のコードデータおよび指定情報を含み、該コードデータは各々Ｍビットの長さであって、（ｎ＋１）（ｎは整数）番目の記録データを、ｎ番目のコードデーダを当該ｎ番目のコードデータに対応するｎ番目の記録データに復調する際に用いられる復調テーブルを選択するための復調情報を含む（ｎ＋１）番目のコードデータヘと変調する変調方式と、前記（ｎ＋１）番目のコードデータに含まれた前記復調情報に基づいて複数の復調テーブルの中から前記復調テーブルを選択し、当該選択復調テーブルに基づいて前記ｎ番目のコードデータを当該ｎ番目のコードデータに対応する前記ｎ番目の記録データに復調する復調方式からなる所定の変調復調方法を用いて、Ｎ（Ｎ≦Ｍ）ビットの長さの各記録データを変調して得られ、前記指定情報は前記情報記録媒体に記録されたデータセクタの最後部に置かれた最後のコードデータの後に付加されるとともに、前記所定の変調復調方法を用いて前記最後のコードデータを当該最後のコードデータに対応した記録データに復調するときに用いられる前記復調テーブルを選択するための復調情報を含み、前記装置は、前記情報記録媒体に記録された前記データセクタを検出する検出装置と、検出されたデータセクタから前記各コードデータおよび前記指定情報を抽出する抽出手段と、抽出されたコードデータが最後のコードデータでないときには前記所定の変調復調方法を用いて、抽出された各コードデータを当該各抽出コードデータに対応した記録データに復調する第１の復調手段と、抽出されたコードデータが最後のコードデータのときは前記抽出された指定情報に含まれた前記復調情報に基づいて前記復調テーブルの中の一の復調テーブルを選択し、当該選択復調テーブルに基づいて前記最後のコードデータを当該最後のコードデータに対応した記録データに復調する方法によって、前記最後のコードデータを当該最後のコードデータに対応した記録データに復調する第２の復調手段と、を備える。
【００２０】
上記の課題を解決するために、請求項１８に記載の発明は、情報記録媒体に記録された第１のデータセクタおよび第２のデータセクタのそれぞれに含まれた情報を再生する情報再生装置において、前記第１のデータセクタおよび第２のデータセクタはそれぞれ同期データと、複数のコードデータと、指定情報と、を含み、前記同期データは前記第１のデータセクタおよび前記第２のデータセクタのそれぞれ頭部に付加されており、前記各コードデータの長さはＭビットであり、前記同期データの長さはＬ（Ｌ＞Ｍ）ビットであり、前記各コードデータは前記第１のデータセクタおよび前記第２のデータセクタのそれぞれにおいて前記同期データの直後に配置され、前記各コードデータは（ｎ＋１）（ｎは整数）番目の記録データを、ｎ番目のコードデーダを当該ｎ番目のコードデータに対応するｎ番目の記録データに復調する際に用いられる復調テーブルを選択するための復調情報を含む（ｎ＋１）番目のコードデータヘと変調する変調方式と、前記（ｎ＋１）番目のコードデータに含まれた前記復調情報に基づいて複数の復調テーブルの中から前記復調テーブルを選択し、当該選択復調テーブルに基づいて前記ｎ番目のコードデータを当該ｎ番目のコードデータに対応する前記ｎ番目の記録データに復調する復調方式からなる所定の変調復調方法を用いて、長さＮ（Ｎ≦Ｍ）の各記録データを変調して得られ、また前記指定情報は前記情報記録媒体に記録された前記第１のデータセクタおよび前記第２のデータセクタのそれぞれの最後部に置かれた最後のコードデータである最後のコードデータの後に付加されるとともに、前記指定情報は所定の変調復調方法を用いて前記最後のコードデータを当該最後のコードデータに対応する記録データに復調する際に用いられる復調テーブルを選択するための前記復調情報を含み、前記指定情報の長さは前記コードデータの長さと等しいことを特徴とし、前記装置は、前記情報記録媒体に記録された前記第１のデータセクタおよび前記第２のデータセクタをそれぞれ検出する検出手段と、検出された第１のデータセクタおよび第２のデータセクタのそれぞれから、前記同期データ、前記各コードデータおよび前記指定情報を抽出する抽出手段と、前記第１のデータセクタに含まれた前記指定情報のＭＳＢ側最初の部分でのＫ（１≦Ｋ≦Ｍ）ビットと、前記第２のデータセクタに含まれた前記ＭＳＢ側最初の部分での（Ｌ−Ｋ）番目のビットおよび前記同期データの次のビットとを接続することにより接続データを生成する生成手段と、抽出されたコードデータが最後のコードデータではないときには前記所定の変調復調方法を用いて、各抽出コードデータを当該各抽出コードデータに対応する記録データに復調する第１の復調手段と、抽出されたコードデータが最後のコードデータのときは前記生成された接続データに基づいて複数の復調テーブルの中から当該復調テーブルを選択し、当該選択復調テーブルに基づいて前記最後のコードデータを当該最後のコードデータに対応する記録データに復調する方法によって、前記最後のコードデータをその対応する記録データに復調する第２の復調手段と、を備える。
【００２１】
上記の課題を解決するために、請求項２１に記載の発明は、情報記録媒体に情報を記録する情報記録装置において、Ｎビットの長さの記録データが入力される入力端子と、先行するコードデータに基づき複数の変調テーブルの中の一を用いて入力記録データをＮより大きい数であるＭビットの長さのコードデータに変調する変調手段と、複数の前記コードデータを含む所定のデータユニット内の最後のコードデータを復調する際に用いられる復調テーブルを指定する指定情報を生成する生成手段と、前記情報記録媒体に前記データユニット及び前記指定情報を、該指定情報を前記最後のコードデータの後に配置して記録する記録手段と、を備える。
【００２３】
上記の課題を解決するために、請求項２４に記載の発明は、複数のデータユニットで構成されたデータ構造を有し、各データユニットには先行のコードデータに基づいて選択された複数の変調テーブルの中の一を用いて、Ｎビットの長さの記録データを変調することにより得られ、それぞれの長さがＮより大きい数のＭビットである複数のコードデータと、データユニット内の最後のコードデータの後に付加され当該最後のコードデータを復調する際に用いられる復調テーブルを指定する指定情報と、が含まれている情報記録媒体に記録された情報を再生する情報再生装置であって、前記情報記録媒体に記録された前記データユニットを検出する検出手段と、検出されたチータユニットの中から前記コードデータ及び前記指定情報を抽出する抽出手段と、後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、を備える。
【００２４】
上記の課題を解決するために、請求項２７に記載の発明は、複数のデータユニットで構成されたデータ構造を有し、各データユニットには先行するＭビットのコードデータに基づいて選択された複数の変調テーブルの中の一を用いて、Ｎビットの長さの記録データを変調することにより得られ、それぞれの長さがＮより大きい数のＭビットである複数のコードデータと、データユニット内の最後のコードデータの後に付加され当該最後のコードデータを復調する際に用いられる復調テーブルを指定する指定情報と、前記複数のコードデータの前に置かれ、Ｍより大きい数のＬビットの長さを有する同期データと、が含まれている情報記録媒体に記録された情報を再生する情報再生装置であって、前記情報記録媒体に記録された前記データユニットを検出する検出手段と、検出されたデータユニットから前記同期データ、前記コードデータ及び前記指定情報を抽出する抽出手段と、後続のコードデータに基づき複数の復調テーブルの中の一を用いて抽出コードデータのそれぞれを復調するとともに、前記指定情報に基づき前記複数の復調テーブルの中の一を用いて前記最後のコードデータを復調する復調手段と、前記同期データを第１の部分と第２の部分に分離する分離手段と、前記指定情報と後続のデータユニットに含まれている前記同期データの第２の部分とを接続して新たな同期データを生成する接続手段と、を備える。
【００２５】
上記の課題を解決するために、請求項３１に記載の発明は、Ｎビットの長さのＮビットデータをＮより大きい数のＭビットの長さのＭビットコードデータに変調するデータ変調方法において、Ｎビットデータを供給する工程と、先行するＭビットコードデータに基づき複数の変調テーブルの中の一を用いて、供給されたＮビットデータをＭビットコードデータに変調する工程と、複数の前記Ｍビットコードデータを含む所定のデータユニットを形成する工程と、前記データユニットの最後部に置かれた最後のＭビットコードデータを復調する際に用いられる復調テーブルを指定する指定情報を生成する工程と、前記指定情報を前記最後のＭビットコードデータの後に付加する工程と、を備える。
【００２６】
上記の課題を解決するために、請求項３４に記載の発明は、Ｎより大きい数のＭビットの長さのＭビットコードデータをＮビットの長さのＮビットデータに復調するデータ復調方法において、複数のＭビットコードデータおよび指定情報を含むデータユニットを得る工程と、前記デ一タユニットから前記Ｍビットコードデータ及び前記指定情報を抽出する工程と、後続のＭビットコードデータに基づき複数の復調テーブルの中の一を用いて前記抽出されたＭビットコードデータのそれぞれを復調するとともに、前記指定情報に基づき前記複数の復調テーブルの中の一を用いて前記データユニット内の最後のＭビットコードデータを復調する工程と、を備える。
【００３３】
【発明の実施の形態】
次に、本発明に好適な実施の形態について、図面に基づいて説明する。なお、以下に説明する実施の形態は、８／１６変調・復調方式により記録情報の記録及び再生を行うＤＶＤ−ＲＡＭについて本発明を適用した場合の実施の形態について説明するものである。
（Ｉ）情報記録装置及び情報記録媒体の実施の形態
初めに、本発明に係る情報記録装置及び当該情報記録装置により記録情報が記録された情報記録媒体の実施の形態について、図１乃至図６を用いて説明する。
【００３４】
初めに、図１を用いて、本発明に係る情報記録装置の構成及び動作について説明する。なお、図１はＤＶＤ−ＲＡＭに記録情報を記録する情報記録装置において本発明に係る情報記録動作に関する部分のみを示したものであり、当該記録の際に必要なフォーカスサーボ制御、トラッキングサーボ制御及びスピンドルサーボ制御等を行う各種サーボ制御部、当該情報記録装置の動作状態を示す表示部並びに種々の情報を入力するための入力操作部等は図示を省略している。
【００３５】
図１に示すように、本発明に係る情報記録装置Ｓ1 は、情報記録媒体としてのＤＶＤ−ＲＡＭ１と、スピンドルモータ２と、記録手段としての光ピックアップ３と、ＩＤ抽出回路４と、タイミングジェネレータ５と、判断回路６と、ＣＰＵ７と、アンド回路８と、ＮＲＺＩ（Non Return to Zero Inverted ）変調回路９と、切換スイッチ１０と、ＥＣＣ（Error Correcting Code ）付加回路１１と、分離回路１２と、８／１６エンコーダ１３と、指定情報生成手段としてのポストアンブルジェネレータ１４と、ＶＦＯ（Variable Frequency Oscillator ）ジェネレータ１５と、シンクジェネレータ１６とにより構成されている。
【００３６】
次に、夫々の動作を説明する。
外部から記録すべき記録情報として８ビットの記録単位毎に記録信号ＳR が入力されると、ＥＣＣ付加回路１１は、当該記録信号ＳR における１６データセクタ分を一単位として記録情報の再生時におけるエラー訂正用のエラー訂正符号（ＥＣＣ）を付加し、ＥＣＣ付加記録信号ＳERを出力する。
【００３７】
そして、分離回路１２は、ＥＣＣ付加記録信号ＳERを一データセクタ毎に分離し、当該一データセクタ毎にセクタ記録信号ＳSRを出力する。
その後、８／１６エンコーダ１３は、セクタ記録信号ＳSRに含まれる８ビットの記録情報を記録用の１６ビットのコードデータに変調する。
【００３８】
ここで、８／１６エンコーダ１３において実行される８／１６変調について図２乃至図４を用いて説明する。
８／１６変調は、上述のように、８ビット単位に分割されている記録情報の内の一の記録情報に対して、予め設定されている四つの記録変換テーブルのうちの一つを指定して当該記録情報をコードデータに変換する。このコードデータについて図２を用いて更に説明すると、図２に示すように、一の記録情報（８ビットデータであり、全部で２５６種類ある。図２はその一部を示している。）に対して、夫々ステート１乃至ステート４の四つの記録変換テーブルが設定されている。なお、夫々の記録変換テーブルは、８／１６変調における０ラン長の制限（ＤＶＤ−ＲＡＭ１上にコードデータの記録に伴って形成される情報ピットの許容最小長と許容最大長（当該許容最小長は、情報再生装置において検出可能な情報ピットの最小長に基づいて設定され、当該許容最大長は、情報再生装置において安定にトラッキングサーボ等のサーボ制御が行える情報ピットの最大長さとして設定されている。）に基づいて設定されており、最小値が「２」で最大値が「１０」である。）を満たすように設定されている。そして、この内の一の記録変換テーブルを選択し、選択された記録変換テーブルに含まれる夫々の記録情報に対応する１６ビットのコードデータを出力するのであるが、この記録変換テーブルの選択においては、ｎ番目の記録情報（８ビット）を８／１６変調した後のコードデータ（１６ビット）における最後尾（ＬＳＢ側）に「０」が連続する個数である０ラン長に基づいて、（ｎ＋１）番目の記録情報をコードデータに変換する際の記録変換テーブルを指定するステート情報と呼ばれる識別情報を予め設定し、このステート情報により識別された記録変換テーブルに基づいて当該（ｎ＋１）番目の記録情報に対応するコードデータを生成する。この０ラン長に基づくステート情報の設定について図３を用いて更に説明すると、図３に示すように、ｎ番目に変換されたコードデータのＬＳＢ側の０ラン長によって、（ｎ＋１）番目に変換されるコードデータにおけるステートが予め設定されており、このステートに対応する記録変換テーブル（図２参照）を用いて当該（ｎ＋１）番目の記録情報をコードデータに変換する。例えば、ｎ番目に変換されたコードデータのＬＳＢ側の０ラン長が「１」である場合（ｎ番目に変換されたコードデータのＬＳＢ側に「０」が１個のみ）には、（ｎ＋１）番目の記録情報が変換される際に使用される記録変換テーブルはステート１の記録変換テーブルを用いるべくステート情報が設定されている。図２には、夫々のコードデータに対応する記録情報の次の記録情報を変換する際に使用する記録変換テーブルのステートが、「ステート情報」として対応するコードデータ毎に示されている。
【００３９】
上述のようにして、８／１６エンコーダ１３においてステート情報を用いて記録情報がコードデータに変換されると、当該コードデータがコードデータ信号ＳM として切換スイッチ１０の一の入力端子に出力される。このとき、コードデータ信号ＳM の出力と並行して、８／１６エンコーダ１３は、セクタ記録信号ＳSRにおけるデータセクタの最後の記録情報を８／１６変換したときに、変換後のコードデータに対応するステート情報（図２参照）をステート情報信号ＳI としてポストアンブル（以下、単にＰＡと示す。）ジェネレータ１４に出力する。そして、ＰＡジェネレータ１４は、ステート情報信号ＳI に含まれるデータセクタの最後のコードデータのステート情報に基づいて、当該データセクタの最後に位置する記録情報を８／１６変換したコードデータに対応する１６ビットのＰＡを生成し、ＰＡ信号ＳPAとして切換スイッチ１０の他の一の入力端子に出力する。
【００４０】
このときＰＡジェネレータ１４により生成されるＰＡは、他のコードデータと同じく１６ビットのディジタルデータであり、具体的には、それがＤＶＤ−ＲＡＭ１に記録されたときにその前後の他のコードデータとの関連で上述の８／１６変調における０ラン長の制限を満たし、更に、当該ＰＡのＭＳＢ側から１ビット目が「１」で１３ビット目が「０」であるか、又はＭＳＢ側から１ビット目が「０」で１３ビット目も「０」であるデータが生成される。より具体的には、例えば、「０００１０００１００００００００ｂ（ｂは２進数を示す）」（データセクタの最後のコードデータのステートがステート１、２又は４の場合）又は「１００１０００１００００００００ｂ」（データセクタの最後のコードデータのステートがステート１、３又は４の場合）のデータがＰＡとして生成される。
【００４１】
ここで、ＰＡが二種類設定される理由を説明する。
図２に示すように、８／１６変調の際の記録変換テーブルにおいては、ステート１及び４については、一のコードデータが必ず一の記録情報（８ビットデータ）に対応しているが、ステート２及び３については、同一のコードデータが異なる記録情報に対応している場合がある（図２におけるステート情報欄の丸印参照）。一方、当該コードデータを復調する際には、上述の８／１６復調が行われ、この際には、（ｍ＋１）番目に検出されたコードデータに基づいて、（ｍ＋１）番目に検出されたコードデータのステートを判断し、その結果により当該ｍ番目に検出されたコードデータを元の記録情報に変換する再生変換テーブルが指定される。このとき、上述のように、ステートが２又は３の場合には一のコードデータが複数の記録情報に対応する場合があるが、ｍ番目に検出されたコードデータのステートが１、２又は４のいずれかであること（この中のいずれであるかが特定される必要はない。）が（ｍ＋１）番目に検出されたコードデータから判明すれば、再生変換テーブルが一種類に特定でき、当該ｍ番目に検出されたコードデータは（そのステートが１又は４である場合も含めて）必ず一の記録情報に対応し、複数の記録情報に対応する場合はない。また、ｍ番目に検出されたコードデータのステートが１、３又は４のいずれかである場合（この中のいずれであるかが特定される必要はない。）にも、再生変換テーブルが一種類に特定でき、当該コードデータは（そのステートが１又は４である場合も含めて）必ず一の記録情報に対応し、複数の記録情報に対応する場合はない。従って、８／１６復調の際には、コードデータのステートが１、２又は４のいずれかであるか、又は１、３又は４のいずれかであるかの二通りの判断さえできれば当該コードデータの正確な復調が可能となる。
【００４２】
ここで、図２から判るように、８／１６復調の際に（ｍ＋１）番目に検出されたコードデータのＭＳＢ側から１ビット目と１３ビット目のデータのうち、いずれか一方が「１」であればｍ番目に検出されたコードデータのステートは３であり、それらの双方が共に「０」であればｍ番目に検出されたコードデータのステートは２である（図４参照）。これにより、データセクタの最後に記録するコードデータのステートが１、２又は４のいずれかである場合には、ＰＡとしてＭＳＢ側から１ビット目が「０」で１３ビット目も「０」であるデータを生成して記録すれば、８／１６復調の際にステート１、２又は４に対応する再生変換テーブルを用いて正常に当該データセクタの最後に記録するコードデータを復調することができる。また、データセクタの最後に記録するコードデータのステートが１、３又は４のいずれかである場合には、ＰＡとしてＭＳＢ側から１ビット目が「１」で１３ビット目が「０」であるデータを生成して記録すれば、８／１６復調の際にステート１、３又は４に対応する再生変換テーブルを用いて正常に当該データセクタの最後に記録するコードデータを復調することができるのである。これらの理由により、ＰＡとしては上述の二種類のみが生成され、ＰＡ信号ＳPAとして切換スイッチ１０の他の入力端子に出力される。
【００４３】
次に、ＶＦＯジェネレータ１５は、再生時に再生動作制御用の再生クロックを抽出するためのＶＦＯ信号ＳVFO （「１０００ｂ」の繰返しパターン）を生成し、切換スイッチ１０の他の入力端子に出力する。
【００４４】
シンクジェネレータ１６は、再生時に同期信号（シンク信号）となるシンクパターンを生成し、シンク信号ＳSYとして出力する。このシンク信号ＳSYについて図５を用いて説明すると、８／１６変調におけるシンク信号ＳSYはステート１及び２に対応する３２ビットのシンクパターン（図５（ａ））と、ステート３及び４に対応する３２ビットのシンクパターン（図５（ｂ））とが設定されている。更に、夫々のシンクパターンはパターン０（ＳＹ０）からパターン７（ＳＹ７）までの８種類のシンクパターンがあり、ＤＶＤ−ＲＡＭ１に記録されたときに、上述の０ラン長の制限を満たすようにシンク毎に選択される。また、一のシンクパターンにおいては、二種類の異なるシンクパターンが含まれているが、これは、再生時のＤＳＶ（Digital Sum Variation ）制御において、その値が最小となるいずれか一方が選択される。そして、これらのシンク信号ＳSYは、切換スイッチ１０の他の入力端子に出力される。
【００４５】
一方、スピンドルモータ２により所定の回転数で回転されているＤＶＤ−ＲＡＭ１に対しては、光ピックアップ３から記録用の光ビームＢが照射され、当該光ビームＢの反射光を光ピックアップ３で再び検出することにより、当該ＤＶＤ−ＲＡＭ１に予め所定間隔で記録されているＩＤ部（記録情報のＤＶＤ−ＲＡＭ１上の記録位置を示すアドレス（番地）情報が含まれている。）が検出され、当該ＩＤ部を含む検出信号ＳPPが出力される。
そして、検出信号ＳPPは、ＩＤ抽出回路４に入力され、その中から上記ＩＤ部を抽出することにより、そのＩＤ部の先頭位置が検出されたタイミングを示す位置信号ＳP が出力されると共に、当該ＩＤ部に含まれているアドレス情報がアドレス信号ＳADとして出力される。この内、上記位置信号ＳP はタイミングジェネレータ５に出力され、当該タイミングジェネレータ５において、位置信号ＳP に基づき切換スイッチ１０に夫々入力されているコードデータ信号ＳM 、ＰＡ信号ＳPA、ＶＦＯ信号ＳVFO 及びシンク信号ＳSYを切り換えて出力するためのタイミング信号ＳT が出力される。そして、切換スイッチ１０は、当該タイミング信号ＳT に基づいてコードデータ信号ＳM 、ＰＡ信号ＳPA、ＶＦＯ信号ＳVFO 及びシンク信号ＳSYを切り換えて出力することにより、後述のフォーマットで、コードデータ、ＰＡ、ＶＦＯ及びシンク信号がＤＶＤ−ＲＡＭ１上に記録されることとなる。
【００４６】
これに対して、ＩＤ抽出回路４から出力されたアドレス信号ＳADは、判断回路６に入力される。この判断回路６には、切換スイッチ１０から出力されている信号の内容をＣＰＵ７で判断した判断結果である制御信号ＳC が同時に入力されている。そして、ＣＰＵ７で判断した切換スイッチ１０の出力信号の内容（制御信号ＳC ）とＩＤ部としてＩＤ抽出回路４で検出したアドレス情報（アドレス信号ＳAD）とに基づいて、切換スイッチ１０からの出力信号（コードデータ信号ＳM 、ＰＡ信号ＳPA、ＶＦＯ信号ＳVFO 又はシンク信号ＳSY）をＮＲＺＩ変調回路９でＮＲＺＩ変調した結果である変調信号ＳMIをＤＶＤ−ＲＡＭ１に記録するか否か（記録を許可するか否か）を示す判断信号ＳW を出力する。
【００４７】
その後、判断信号ＳW は、上記変調信号ＳMIと共に、アンド回路８に入力され、夫々の積信号が記録用の光ビームＢを出射するための書き込み信号ＳDDとして出力され、当該書き込み信号ＳDDが光ピックアップ３内の図示しないレーザダイオードを駆動することにより、上記記録用の光ビームＢが出射され、ＤＶＤ−ＲＡＭ１に変調信号ＳMIが記録される。
【００４８】
次に、変調信号ＳMIをＤＶＤ−ＲＡＭ１に記録する際の記録フォーマットについて、図６を用いて説明する。なお、図６は、ＤＶＤ−ＲＡＭ１上の一のトラックＴＲ上における物理的な記録フォーマットを示している。
【００４９】
実施形態の情報記録装置Ｓ1 においては、図６に示すように、先ず、予めＤＶＤ−ＲＡＭ１に記録（プリフォーマット）されているＩＤ部２０の直後に上記ＶＦＯ信号ＳVFO が記録されるように切換スイッチ１０がタイミング信号ＳT に基づいて切り換えられ、これにより、ＤＶＤ−ＲＡＭ１上のＩＤ部２０の直後にＶＦＯ部２１が形成され、「１０００ｂ」の繰返しパターンが記録される。
【００５０】
次に、上記ＶＦＯ部の直後にデータセクタ２２が形成され、その先頭にデータセクタ２２における最初のシンクであるシンク「０」（当該シンク「０」は常にステート１又は２であることが規格上設定されている。）に対応するシンク信号ＳSYが記録されるように切換スイッチ１０がタイミング信号ＳT に基づいて切り換えられ、これにより、ＶＦＯ部２１の直後にシンク２３が記録される。
【００５１】
次に、上記シンク２３の直後には、上記コードデータ信号ＳM が記録されるように切換スイッチ１０がタイミング信号ＳT に基づいて切り換えられ、これにより、当該コードデータ信号ＳM がシンクフレーム２４を形成してＤＶＤ−ＲＡＭ１上に記録される。これ以後、一のデータセクタ２２においては、シンク２３とシンクフレーム２４の組合わせが２６組（２６シンクフレーム分）形成される。なお、一のシンクフレーム２４は９３バイトのデータ量を有している。また、一のデータセクタ２２において、当該データセクタ２２に含まれるデータ量が２６シンクフレームに満たない場合には、残りのデータセクタ２２の部分には、再生時において再生処理に無関係の「０００……ｂ」又は「１１１……ｂ」のデータが記録される。
【００５２】
そして、一のデータセクタ２２の最後には、上記ＰＡ信号ＳPAが記録されるように切換スイッチ１０がタイミング信号ＳT に基づいて切り換えられ、これにより、データセクタ２２の最後にＰＡ部２５が形成される。このＰＡ部２５としては、上述のように、「０００１０００１００００００００ｂ」（データセクタの最後のコードデータのステートがステート１、２又は４の場合）又は「１００１０００１００００００００ｂ」（データセクタの最後のコードデータのステートがステート１、３又は４の場合）が記録される。
【００５３】
以上説明したように、本発明の情報記録装置Ｓ１によれば、コードデータを８／１６変調を用いてＤＶＤ−ＲＡＭ１に記録する際に、各データセクタ２２の最後にＰＡ部２５が形成されて記録されるので、当該データセクタ２２に記録されたコードデータを再生するとき、（ｎ＋１）番目に検出したコードデータに基づいて、ｎ番目に検出したコードデータに対応する再生変換テーブルを指定することにより当該ｎ番目に検出されたコードデータを再生する方法によりコードデータを再生する場合に、データセクタ２２の最後のコードデータについては、上記ＰＡ部２５を用いて当該最後のコードデータを再生することができる。
従って、データセクタ２２相互間で無関係に記録情報が記録されている場合でも、正確にデータセクタ２２の最後のコードデータを再生することができ、全てのコードデータを正確に再生して元の記録情報を得ることができる。
（II）情報再生装置の実施の形態
次に、本発明に係る情報再生装置の実施の形態について、図７乃至図１２を用いて実施形態毎に説明する。なお、以下に説明する各実施形態にのうち、第１実施形態は、ＤＶＤ−ＲＡＭ１を再生するための専用の復調部を備えた場合の実施形態であり、第２実施形態は、ＤＶＤ−ＲＯＭを復調するための復調部を用いて、ＤＶＤ−ＲＡＭ１を再生するための実施形態である。更に、第１実施形態における情報再生装置については、通常は上述のＤＶＤ−ＲＡＭ１のための情報記録装置と同一の筐体内に構成されるものである。
（Ａ）第１実施形態
始めに、情報再生装置の第１実施形態について、図７及び図８を用いてその構成及び動作を説明する。
【００５４】
図７に示すように、第１実施形態の情報再生装置Ｓ2 は、スピンドルモータ３０と、検出手段としての光ピックアップ３１と、ＩＤ抽出回路３２と、抽出手段としての読み出し回路３３と、復調部４０とにより構成されている。なお、図１に示す情報記録装置Ｓ1 と同じ筐体内に情報再生装置Ｓ2 を構成する場合には、スピンドルモータ３０、光ピックアップ３１及びＩＤ抽出回路３２は、夫々図１に示すスピンドルモータ２、光ピックアップ３及びＩＤ抽出回路４と同一の構成部材となる。
【００５５】
また、復調部４０は、復調手段としての８／１６デコーダ４１と、合成回路４２と、エラー訂正回路４３とにより構成されている。
更に、図８に示すように、８／１６デコーダ４１は、ＲＯＭ４１Ａと、ＲＯＭ４１Ｂと、スイッチＳＷと、抜き取り回路４１Ｃとにより構成されている。
【００５６】
次に、動作を説明する。
スピンドルモータ３０により所定の回転数で回転されているＤＶＤーＲＡＭ１（図６に示す記録フォーマットにより記録情報が記録されている。）に対して再生用の光ビームＢが照射されると、そのトラックＴＲ（図６参照）からの反射光を再び光ピックアップ３１において受光することにより、上述のコードデータ信号ＳM 、ＰＡ信号ＳPA、ＶＦＯ信号ＳVFO 及びシンク信号ＳSY並びにアドレス信号ＳADを含む検出信号ＳPUが出力される。そして、当該検出信号ＳPUがＩＤ抽出回路３２に入力され、アドレス信号ＳADが抽出されて現在光ビームＢが照射されているデータセクタ２２のアドレスが取得され、他の信号と共にデータ信号ＳD として出力される。このとき、ＶＦＯ信号ＳVFO は図示しない再生クロック生成回路に出力されて再生時の基準クロックとしての再生クロックが生成される。
【００５７】
次に、読み出し回路３３は、データ信号ＳD からコードデータ信号ＳM を読み出すと共に、データセクタ２２の最後のＰＡ部２５からＰＡ信号ＳPAを読み出し、夫々を含む読み出し信号ＳDRを復調部４０に出力する。
【００５８】
復調部４０に含まれる８／１６デコーダ４１は、読み出し信号ＳDRに含まれるコードデータ信号ＳM に対応するコードデータに対して上述した８／１６復調を施して元の８ビットの記録情報を復元する。このとき、８／１６デコーダ４１に含まれているＲＯＭ４１Ａには、ステートが１、２又は４であるシンク、コードデータ及びＰＡ（以下、コードデータ等という。）を記録情報に変換するための再生変換テーブルが記録されており、また、ＲＯＭ４１Ｂには、ステートが１、３又は４であるコードデータ等を記録情報に変換するための再生変換テーブルが記録されている。そして、読み出し信号ＳDRはＲＯＭ４１Ａ及びＲＯＭ４１Ｂの双方に入力され、夫々独立して記録情報に変換される。このとき、上述のように、８／１６復調においては、ｍ番目に検出されたコードデータ等のステートが１、２又は４のいずれかであること、又は１、３又は４のいずれかであることが（ｍ＋１）番目に検出されたコードデータ等から判明すれば、当該ｍ番目に検出されたコードデータ等は（そのステートが１又は４である場合も含めて）必ず一の記録情報に対応し、複数の記録情報に対応する場合はない。従って、（ｍ＋１）番目に検出されたコードデータ等の最初のビットが「０」であり、且つ、第１３番目のビットが「０」であるときには、ｍ番目に検出されたコードデータ等のステートは、ステート２又は３のいずれであるかについてはステート２であるので、スイッチＳＷをＲＯＭ４１Ａ側に切り換えれば、当該ＲＯＭ４１Ａからはコードデータ等に対応する元の記録情報が出力される。そして、ＲＯＭ４１Ａから出力された記録情報からシンク及びＰＡに対応する記録情報を抜き取り回路４１Ｃにおいて抜き取ることにより、１データセクタ毎のコードデータのみを復元した８ビットの記録情報であるデコード信号ＳDCD´が得られる。
【００５９】
一方、（ｍ＋１）番目に検出されたコードデータ等の最初のビットが「１」であり、且つ、第１３番目のビットが「０」であるときには、ｍ番目に検出されたコードデータ等のステートは、ステート２又は３のいずれであるかについてはステート３であるので、スイッチＳＷをＲＯＭ４１Ｂ側に切り換えれば、当該ＲＯＭ４１Ｂからはコードデータ等に対応する元の記録情報が出力され、当該記録情報からシンク及びＰＡに対応する記録情報を抜き取り回路４１Ｃにおいて抜き取ることにより、１データセクタ毎のコードデータのみを復元したデコード信号ＳDCD´が得られる。
【００６０】
なお、このとき、データセクタ２２の最後のコードデータについては、ＰＡを用いてそのステートを得て復調される。
そして、１データセクタ毎のデータに対応するデコード信号ＳDCD´は、合成回路４２において１６データセクタ分のデコード信号ＳDCD´が合成されてデコード信号ＳDCD が生成され、当該デコード信号ＳDCD がエラー訂正回路４３に入力されて元の記録情報である再生信号ＳOUT が出力される。
【００６１】
以上説明したように、情報再生装置Ｓ２においては、ＤＶＤ−ＲＡＭ１に記録されているＰＡを用いて、データセクタ２２の最後のコードデータを再生するので、８／１６復調において、当該最後のコードデータを正確に再生することができる。
従って、データセクタ２２相互間で無関係に記録情報が記録されている場合でも、正確にデータセクタ２２の最後のコードデータを再生することができ、全てのコードデータを正確に再生して元の記録情報を得ることができる。
（Ｂ）第２実施形態
次に、情報再生装置の第２実施形態について、図９乃至図１２を用いてその構成及び動作を説明する。
【００６２】
図９に示すように、第２実施形態の情報再生装置Ｓ3 は、スピンドルモータ３０と、検出手段としての光ピックアップ３１と、ＩＤ抽出回路３２と、抽出手段としての読み出し回路３３と、生成手段としてのゲート回路６０と、接続回路６１と、復調部５０とにより構成されている。
【００６３】
また、復調部５０は、復調手段としての８／１６デコーダ５１と、エラー訂正回路４３とにより構成されている。
更に、図１０に示すように、８／１６デコーダ５１は、ＲＯＭ４１Ａと、ＲＯＭ４１Ｂと、スイッチＳＷと、抜き取り回路５１Ａとにより構成されている。
【００６４】
次に、動作を説明する。
スピンドルモータ３０、光ピックアップ３１、ＩＤ抽出回路３２及び読み出し回路３３の動作については、上述の情報再生装置Ｓ2 と同様であるので、細部の説明は省略する。
【００６５】
読み出し回路３３から出力された読み出し信号ＳDRは、次に、ゲート回路６０に入力され、データセクタ２２の最後のコードデータについての分離動作が行われ、分離信号ＳDGとして出力され、更に、接続回路６１において、ＤＶＤ−ＲＯＭを再生する場合と同様の８／１６復調を行うための接続動作が行われる。
【００６６】
次に、上記のゲート回路６０における分離動作及び接続回路６１における接続動作について、図１１及び図１２を用いて、実施形態を分けて説明する。
（Ｂ−ｉ）第１実施形態
分離動作及び接続動作の第１実施形態では、図１１に示すように、ゲート回路６０において、データセクタ２２の最後に付加されているＰＡの先頭の第１ビット目までと、当該ＰＡが付加されているデータセクタの次のデータセクタの先頭のシンク２３（シンク「０」に相当し、そのステートは１又は２である。）の第２ビット目から以降とが分離される。そして、夫々が分離信号ＳDGとして出力され、次に、接続回路６１において、ＰＡの先頭の第１ビット目とシンク２３の第２ビット目が接続され、連続した接続信号ＳDC´ として出力される。このとき、ＰＡの先頭の１ビット目が「１」である場合には、分離前にステートが１又は２であったシンク２３（シンク「０」）はステートが３又は４に変換されることとなるが、図５に示すように、シンクとしてはステート１又は２の場合と３又は４の場合の二種類があるので、いずれのステートであってもシンクとしての機能が損なわれることはない。
（Ｂ−ii）第２実施形態
分離動作及び接続動作の第２実施形態では、図１２に示すように、ゲート回路６０において、データセクタ２２の最後に付加されているＰＡ全体と、当該ＰＡが含まれているデータセクタの次のデータセクタの先頭のシンク２３の第１６ビット以降の後半部２３Ｂとが分離される。そして、夫々が分離信号ＳDGとして出力され、次に、接続回路６１において、ＰＡとシンク２３の後半部２３Ｂの先頭が接続され、連続した接続信号ＳDC´ として出力される。このとき、第１実施形態と同様に、ＰＡの先頭の１ビット目が「１」である場合には、分離前にステートが１又は２であったシンク２３（シンク「０」）はステートが３又は４に変換されることとなるが、この場合にもシンクとしての機能が損なわれることはない。
【００６７】
上述の二つの方法により隣接するデータセクタ２２同士が接続された形態の接続信号ＳDC´ が生成され、復調部５０に含まれる８／１６デコーダ５１に入力されると、当該８／１６デコーダ５１は、接続信号ＳDC´ に含まれるコードデータ及びシンクに対して上述した８／１６復調を施して元の８ビットの記録情報を復元する。このとき、８／１６デコーダ５１に含まれているＲＯＭ４１Ａには、情報再生装置Ｓ2 と同様に、ステートが１、２又は４であるコードデータ及びシンクを記録情報に変換するための再生変換テーブルが記録されており、また、ＲＯＭ４１Ｂには、ステートが１、３又は４であるコードデータ及びシンクを記録情報に変換するための再生変換テーブルが記録されている。そして、接続信号ＳDC´ はＲＯＭ４１Ａ及びＲＯＭ４１Ｂの双方に入力され、夫々独立して記録情報に変換される。このとき、情報再生装置Ｓ2 の場合と同様に、（ｍ＋１）番目に検出されたコードデータ及びシンクの最初のビットが「０」であり、且つ、第１３番目のビットが「０」であるときには、ｍ番目に検出されたコードデータ及びシンクのステートは、ステート２又は３のいずれであるかについてはステート２であるので、スイッチＳＷをＲＯＭ４１Ａ側に切り換えれば、当該ＲＯＭ４１Ａからはコードデータ等に対応する元の記録情報が出力される。そして、ＲＯＭ４１Ａから出力された記録情報からシンクに対応する記録情報を抜き取り回路５１Ａにおいて抜き取ることにより、データセクタのコードデータのみを復元した８ビットの記録情報であるデコード信号ＳDCD が得られる。
【００６８】
一方、（ｍ＋１）番目に検出されたコードデータ及びシンクの最初のビットが「１」であり、且つ、第１３番目のビットが「０」であるときには、ｍ番目に検出されたコードデータ及びシンクのステートは、ステート２又は３のいずれであるかについてはステート３であるので、スイッチＳＷをＲＯＭ４１Ｂ側に切り換えれば、当該ＲＯＭ４１Ｂからはコードデータ及びシンクに対応する元の記録情報が出力され、当該記録情報からシンクに対応する記録情報を抜き取り回路４１Ｃにおいて抜き取ることにより、コードデータのみを復元したデコード信号ＳDCD が得られる。
【００６９】
そして、デコード信号ＳDCD は、そのままエラー訂正回路４３に入力されて元の記録情報である再生信号ＳOUT が出力される。
以上説明したように、情報再生装置Ｓ3 においては、ＤＶＤ−ＲＡＭ１に記録されているＰＡを用いて、データセクタ２２の最後のコードデータを再生すると共に、ＰＡとデータセクタの最初のシンク２３を接続してＤＶＤ−ＲＯＭを再生する場合と同様の信号形態の接続信号ＳDC´ を生成するので、通常のＤＶＤ−ＲＯＭ用の復調器５０を用いてもＤＶＤ−ＲＡＭ１に記録されている情報を再生することができる。
【００７０】
更に、上述の分離動作及び接続動作の第１実施形態によれば、データセクタ２３の先頭のシンク２３の後半部２３Ｂのみを分離する必要がないので、当該分離のための１６ビットカウンタが不要となる。
【００７１】
一方、上述の分離動作及び接続動作の第２実施形態によれば、全てのデータを１６ビット単位で取り扱えるので、回路設計が簡略化されると共に、ＰＡの先頭の第１ビット目及びデータセクタ２３の先頭のシンク２３の第２ビット目以降を取り出すための分周器等が不要となる。
【００７２】
なお、上述の分割動作及び接続動作の第２実施形態においては、ＰＡ全体をシンク２３の後半部２３Ｂに接続したが、これに限らず、ＰＡの前からＫビット（Ｋ≦１６）ビット（例えば３ビット）目をシンク２３の前半部２３Ａにおける（Ｋ＋１）ビット（例えば４ビット）目に接続するようにしてもよい。
【図面の簡単な説明】
【図１】情報記録装置の概要構成を示すブロック図である。
【図２】８／１６変調における記録変換テーブルの一部である。
【図３】コードデータの０ラン長とステートの関係を示す図である。
【図４】ステートとビットの内容の関係を示す図である。
【図５】シンクパターンの一例を示す図であり、（ａ）はステート１及び２に対応するシンクパターンであり、（ｂ）はステート３及び４に対応するシンクパターンである。
【図６】ＤＶＤーＲＡＭの記録フォーマットを示す図である。
【図７】第１実施形態の情報再生装置の概要構成を示すブロック図である。
【図８】第１実施形態の８／１６デコーダの概要構成を示すブロック図である。
【図９】第２実施形態の情報再生装置の概要構成を示すブロック図である。
【図１０】第２実施形態の８／１６デコーダの概要構成を示すブロック図である。
【図１１】第２実施形態の情報再生装置における分離動作及び接続動作の第１実施形態を説明する図である。
【図１２】第２実施形態の情報再生装置における分離動作及び接続動作の第２実施形態を説明する図である。
【符号の説明】
１…ＤＶＤ−ＲＡＭ
２、３０…スピンドルモータ
３、３１…光ピックアップ
４、３２…ＩＤ抽出回路
５…タイミングジェネレータ
６…判断回路
７…ＣＰＵ
８…アンド回路
９…ＮＲＺＩ変調回路
１０…切換スイッチ
１１…ＥＣＣ付加回路
１２…分離回路
１３…８／１６エンコーダ
１４…ＰＡジェネレータ
１５…ＶＦＯジェネレータ
１６…シンクジェネレータ
２０…ＩＤ部
２１…ＶＦＯ部
２２…データセクタ
２３…シンク
２３Ａ…前半部
２３Ｂ…後半部
２４…シンクフレーム
２５…ＰＡ部
３３…読み出し回路
４０、５０…復調部
４１、５１…８／１６デコーダ
４１Ａ、４１Ｂ…ＲＯＭ
４１Ｃ、５１Ａ…抜き取り回路
４２…合成回路
４３…エラー訂正回路
６０…ゲート回路
６１…接続回路
Ｂ…光ビーム
Ｓ1 …情報記録装置
Ｓ2 、Ｓ3 …情報再生装置
ＳＷ…スイッチ
ＴＲ…トラック
ＳI …ステート情報信号
ＳPA…ＰＡ信号
ＳVFO …ＶＦＯ信号
ＳSY…シンク信号
ＳMI…変調信号
ＳW …判断信号
ＳC …制御信号
ＳP …位置信号
ＳT …タイミング信号
ＳAD…アドレス信号
ＳPP、ＳPU…検出信号
ＳDD…書き込み信号
ＳM …コードデータ信号
ＳER…ＥＣＣ付加情報信号
ＳSR…セクタ記録信号
ＳR …記録信号
ＳD …データ信号
ＳDR…読み出し信号
ＳDCD´、ＳDCD …デコード信号
ＳOUT …再生信号
ＳDG…分離信号
ＳDC´ …接続信号
【図１】
0003962439.tif 000002
【図２】
0003962439.tif 000003
【図３】
0003962439.tif 000004
【図４】
0003962439.tif 000005
【図５】
0003962439.tif 000006
【図６】
0003962439.tif 000007
【図７】
0003962439.tif 000008
【図８】
0003962439.tif 000009
【図９】
0003962439.tif 000010
【図１０】
0003962439.tif 000011
【図１１】
0003962439.tif 000012
【図１２】
0003962439.tif 000013